(57)【要約】【課題】ポンプディスペンサー部分に販売促進効果を期待することができる程度の表示面積を確保することができると共に、ノズルヘッドの無用の押し下げ等を防止することができるカバー状ラベルを提供する。【解決手段】容器本体３１の口部から突出したポンプディスペンサー部分に被嵌される筒状の胴部１０と、胴部１０の上端開口部を閉塞する天面板２０とを備えている。胴部１０の周面には、注出ノズル３５の下面が掛止されるノズル挿入孔ＮＨが形成されており、天面板２０には、ノズルヘッドの操作部３４が嵌り込む嵌合孔Ｈが形成されている。ポンプ容器に装着した状態では、胴部１０におけるノズル挿入孔ＮＨとノズル挿入孔ＮＨに対応する下端縁との間の部分が、注出ノズル３５と容器本体３１の肩部との間に挟み込まれており、操作部３４が天面板２０の嵌合孔Ｈに嵌合し、嵌合孔Ｈの周辺部分がノズルヘッドの操作部３４の上面より下側に位置している。【選択図】        図５
2012192949.tif 000002
【特許請求の範囲】
【請求項１】
注出ノズルを有する押下式のノズルヘッドを備えたポンプディスペンサーが容器本体の口部に取り付けられたポンプ容器のポンプディスペンサー部分に装着される、シート部材によって形成されたカバー状ラベルであって、
ポンプディスペンサー部分に被嵌される筒状の胴部を備え、
前記胴部の周面には、注出ノズルの下面が掛止されるノズル掛止部が形成されており、
前記胴部における前記ノズル掛止部から前記胴部下端縁までの縦方向の長さが、前記ポンプ容器における注出ノズルと容器本体の肩部との間の長さと略同等であることを特徴とするカバー状ラベル。
【請求項２】
前記胴部の上端開口部を閉塞する天面板を備え、
前記天面板には、ノズルヘッドが嵌り込む嵌合孔が形成されており、
前記胴部下端から前記天面板の前記嵌合孔が形成されている部分までの縦方向高さが、前記ポンプ容器における容器本体の肩部からノズルヘッドの上面までの高さより低い請求項１に記載のカバー状ラベル。
【請求項３】
注出ノズルを有する押下式のノズルヘッドを備えたポンプディスペンサーが容器本体の口部に取り付けられたポンプ容器であって、
請求項１または２に記載のカバー状ラベルが、前記ポンプディスペンサー部分に装着されていることを特徴とするポンプ容器。
【発明の詳細な説明】
【技術分野】
【０００１】
この発明は、ポンプ容器における容器本体の口部に取り付けられたポンプディスペンサー部分に装着されるカバー状ラベルに関する。
【背景技術】
【０００２】
液体商品を充填する容器としては、例えば、図１０に示すように、押し下げ式のノズルヘッド５３を有するポンプディスペンサー５２がボトル５１の口部に取り付けられたポンプ容器５０があり、こういったポンプ容器５０では、ポンプディスペンサー５２を構成しているノズルヘッド５３の操作部分５４を押し下げることによって、所定量の液体商品を注出することができるようになっている。
【０００３】
こういったポンプ容器５０では、ノズルヘッド５３の無用の押し下げや外力による不意の押し下げを防止するために、ノズルヘッド５３を案内する、スプリングが収容された案内筒５５には、ノズルヘッド５３とキャップ５６との間にストッパ５７を嵌め込むようになっており、ストッパ５７を取り外さないと、液体商品を注出することができないようになっている。
【先行技術文献】
【特許文献】
【０００４】
【特許文献１】実開平０６−０８１６５３号公報
【特許文献２】特開２００１−１７５１７７号公報
【発明の概要】
【発明が解決しようとする課題】
【０００５】
ところで、上述したようなポンプ容器５０の場合、ボトル５１部分には、商品名やデザイン等をボトル５１の胴部表面に直接印刷したり、商品名やデザイン等を印刷した筒状のシュリンクラベルをボトルの胴部に装着することによって十分な表示面積を確保することができるが、目に付きやすい上部のポンプディスペンサー５２部分には人の目を引くような表示を施しにくいので、十分な販売促進効果を発揮させることができないといった問題がある。
【０００６】
そこで、この発明の課題は、ポンプディスペンサー部分に販売促進効果を期待することができる程度の表示面積を確保することができると共に、ストッパを取り付けなくとも、ノズルヘッドの無用の押し下げ等を防止することができるカバー状ラベルを提供することにある。
【課題を解決するための手段】
【０００７】
上記の課題を解決するため、請求項１に係る発明は、注出ノズルを有する押下式のノズルヘッドを備えたポンプディスペンサーが容器本体の口部に取り付けられたポンプ容器のポンプディスペンサー部分に装着される、シート部材によって形成されたカバー状ラベルであって、ポンプディスペンサー部分に被嵌される筒状の胴部を備え、前記胴部の周面には、注出ノズルの下面が掛止されるノズル掛止部が形成されており、前記胴部における前記ノズル掛止部から前記胴部下端縁までの縦方向の長さが、前記ポンプ容器における注出ノズルと容器本体の肩部との間の長さと略同等であることを特徴とするカバー状ラベルを提供するものである。
【０００８】
また、請求項２に係る発明は、請求項１に係る発明のカバー状ラベルにおいて、前記胴部の上端開口部を閉塞する天面板を備え、前記天面板には、ノズルヘッドが嵌り込む嵌合孔が形成されており、前記胴部下端から前記天面板の前記嵌合孔が形成されている部分までの縦方向高さが、前記ポンプ容器における容器本体の肩部からノズルヘッドの上面までの高さより低いことを特徴としている。なお、嵌合孔は完全に開口されていてもよく、切れ目を形成することによって形成された舌片を持ち上げることによって嵌合孔が形成されるものでもよい。
【０００９】
また、請求項３に係る発明は、内容物を注出するための注出ノズルを有する押下式のノズルヘッドを備えたポンプディスペンサーが容器本体の口部に取り付けられたポンプ容器であって、請求項１または２に記載のカバー状ラベルが、ポンプディスペンサー部分に装着されていることを特徴とするポンプ容器を提供するものである。
【発明の効果】
【００１０】
以上のように、請求項１に係る発明のカバー状ラベルは、ポンプディスペンサー部分に被嵌される筒状の胴部を備えているので、その胴部に表示を施すことで、ポンプディスペンサー部分に販売促進効果を期待することができる程度の表示面積を確保することができる。
【００１１】
また、胴部の周面には、注出ノズルの下面が掛止されるノズル掛止部が形成されており、胴部におけるノズル掛止部から胴部下端縁までの縦方向の長さが、ポンプ容器における注出ノズルと容器本体の肩部との間の長さと略同等に設定されているので、ポンプ容器のポンプディスペンサー部分に装着した状態では、胴部におけるノズル掛止部とノズル掛止部に対応する下端縁との間の部分が注出ノズルと容器本体との間に挟み込まれることになる。従って、このカバー状ラベルをポンプ容器のポンプディスペンサー部分に装着した状態では、ノズルヘッドを押し下げようとしても、押し下げることができず、従来のストッパと同様の機能を確保することができる。
【００１２】
また、請求項２に係る発明のカバー状ラベルは、胴部の上端開口部を閉塞する天面板に、ノズルヘッドが嵌り込む嵌合孔が形成されており、胴部下端から天面板の嵌合孔が形成されている部分までの縦方向高さが、ポンプ容器における容器本体の肩部からノズルヘッドの上面までの高さより低くなっているので、ポンプ容器のポンプディスペンサー部分に装着した状態では、ノズルヘッドが天面板の嵌合孔に嵌合し、天面板における嵌合孔の周辺部分がノズルヘッドの上面より下側に位置することになる。従って、このカバー状ラベルをポンプ容器のポンプディスペンサー部分に装着した状態では、ノズルヘッドの注出ノズルが掛止されているノズル掛止部の反対側からノズル掛止部側に力が加わっても、ノズル掛止部に対する注出ノズルの掛止状態が解除されにくく、装着されたカバー状ラベルがポンプディスペンサー部分から簡単に外れることはない。
【図面の簡単な説明】
【００１３】
【図１】（ａ）はこの発明に係るカバー状ラベルの一実施形態を示す平面図、（ｂ）は同上のカバー状ラベルを示す背面図である。
【図２】同上のカバー状ラベルを示す斜視図である。
【図３】同上のカバー状ラベルを形成するためのラベル形成基材を示す平面図である。
【図４】同上のカバー状ラベルのポンプ容器への装着前の状態を示す斜視図である。
【図５】同上のカバー状ラベルをポンプ容器に装着した状態を示す斜視図である。
【図６】（ａ）は他の実施形態であるカバー状ラベルを示す平面図、（ｂ）は同上のカバー状ラベルを示す背面図である。
【図７】同上のカバー状ラベルを示す斜視図である。
【図８】同上のカバー状ラベルを形成するためのラベル形成基材を示す平面図である。
【図９】同上のカバー状ラベルをポンプ容器に装着した状態を示す斜視図である。
【図１０】一般的なポンプ容器を示す斜視図である。
【発明を実施するための形態】
【００１４】
以下、実施の形態について図面を参照して説明する。図１（ａ）、（ｂ）及び図２に示すカバー状ラベル１は、図４に示すように、容器本体３１の口部にポンプディスペンサー３２が取り付けられたポンプ容器３０のポンプディスペンサー３２部分に装着されるものであり、容器本体３１の口部から突出したポンプディスペンサー３２部分に被嵌される筒状の胴部１０と、この胴部１０の上端開口部を閉塞する天面板２０とを備えている。なお、ポンプディスペンサー３２は、ノズルヘッド３３を構成している注出ノズル３５が連設された操作部３４を押し下げることによって、所定量の液体商品を注出することができるようになっている。
【００１５】
このカバー状ラベル１は、図３に示すように、ポリプロピレンやポリエステル等によって形成された厚さ０．１〜１ｍｍ程度のプラスチックシートからなるラベル形成基材１ａから形成されており、胴部１０には、ポンプ容器３０内に充填される液体商品に関する種々の表示が予め印刷されている。
【００１６】
前記ラベル形成基材１ａは、同図に示すように、胴部１０を構成している正面板１１の両側縁に、折目線１ｂ、１ｃを介して、正面板１１より背が低い背面板１２及び背面板１１に接着固定される接着片１３がそれぞれ連設されており、正面板１１及び背面板１２の下端縁には、中央部が上方に突出するように湾曲した折目線１ｄ、１ｅを介して、内側に折り返される折返片１４、１５がそれぞれ連設されている。
【００１７】
前記背面板１２の上端縁は、幅方向の中央部が下方側に突出するように湾曲しており、湾曲した折目線１ｆを介して、胴部１０の上端開口部を閉塞する舟形形状の天面板２０が連設されていると共に、この天面板２０の反対側の側縁には、折目線１ｆと同様に湾曲した折目線１ｇを介して、幅方向の中央部に切り込み２３ａが形成された差込片２３が連設されている。
【００１８】
前記天面板２０には、中央部にＣ字状の切目２１と、この切目２１から折目線１ｆ、１ｇの中央部にそれぞれ至る半円弧状の切目２２、２２とが形成されており、Ｃ字状の切目２１によって囲われた舌片部分を起こすことによって、ポンプディスペンサー３２のノズルヘッド３３の操作部３４が嵌り込む嵌合孔Ｈが形成されるようになっている。なお、折目線１ｂ、１ｃ、１ｄ、１ｅ、１ｆ、１ｇとしては、溝状、ミシン目状等の折曲罫線を採用することができる。
【００１９】
以上のように構成されたラベル形成基材１ａから、上述したようなカバー状ラベル１を形成するには、まず、接着片１３の外面にホットメルト等の接着剤を塗布した状態で、背面板１２を折目線１ｂで正面板１１の内面側に折り重ねた後、接着片１３を折目線１ｃで背面板１２の外面側に折り重ねて、接着片１３を背面板１２に接着固定することによって、筒状の胴部１０を形成する。
【００２０】
続いて、差込片２３を折目線１ｇで略９０度折り曲げた後、さらに、天面板２０を折目線１ｆで折り曲げて、差込片２３を正面板１１の内面に沿わせながら、胴部１０内に差し込むと、図１（ａ）、（ｂ）及び図２に示すように、胴部１０の上端開口部が天面板２０によって閉塞される。
【００２１】
最後に、折返片１４、１５を、折目線１ｄ、１ｅで胴部１０の内側に折り返すと、胴部１０の下端縁が、正面板１１（背面板１２）の幅方向の両端部に向かって徐々に低くなるように湾曲した状態となり、正面板１１の上部が胴部１０の上端から立ち上がったカバー状ラベル１が出来上がる。
【００２２】
このようにして形成されたカバー状ラベル１の天面板２０は、図１（ｂ）に示すように、正面板１１（背面板１２）の幅方向の中央部が最も低く、正面板１１（背面板１２）の幅方向の両端部に向かって徐々に高くなるように湾曲した状態になっており、胴部１０には、図２に示すように、折目線１ｃの上側に、背面板１２、差込片２３及び天面板２０によって取り囲まれた、ポンプディスペンサー３２の注出ノズル３５を差し込み可能なノズル挿入孔ＮＨが形成されている。また、胴部１０におけるノズル挿入孔ＮＨの下縁から胴部１０の下端縁までの縦方向の長さが、ポンプ容器３０における注出ノズル３５と容器本体３１の肩部との間の長さと略同等に設定されていると共に、胴部１０の下端から天面板２０における切目２１の形成部分までの縦方向高さが、ポンプ容器３０における容器本体３１の肩部からノズルヘッド３３の操作部３４の上面までの高さより低くなるように設定されている。
【００２３】
このようにして形成されたカバー状ラベル１の胴部１０を、ポンプ容器３０の注出ノズル３５の先端部をノズル挿入孔ＮＨに差し込むようにして、容器本体３１の口部から突出したポンプディスペンサー３２部分に被嵌すると、図５に示すように、湾曲した天面板２０の最も低い位置に形成された切目２１によって囲われた舌片部分がノズルヘッド３３の操作部３４によって押し上げられ、それに伴って天面板２０に形成された嵌合孔Ｈにノズルヘッド３３の操作部３４が嵌合し、天面板２０における嵌合孔Ｈの周辺部分がノズルヘッド３３の操作部３４の上面より下側に位置する状態で、カバー状ラベル１がポンプ容器３０のポンプディスペンサー３２部分に装着される。
【００２４】
このように、このカバー状ラベル１がポンプ容器３０のポンプディスペンサー３２部分に装着された状態では、ノズルヘッド３３の注出ノズル３５の下面がノズル挿入孔ＮＨの下縁に掛止されており、胴部１０の下端縁が、容器本体３１のテーパ状の肩部に沿うような状態で接触し、胴部１０におけるノズル挿入孔ＮＨの下縁とノズル挿入孔ＮＨに対応する下端縁との間の部分、即ち、折目線１ｃ部分が、注出ノズル３５と容器本体３１の肩部との間に挟み込まれた状態になっている。なお、ノズル挿入孔ＮＨの下縁が請求項１に係る発明の「ノズル掛止部」に相当する。
【００２５】
以上のように、このカバー状ラベル１は、容器本体３１の口部から突出したポンプディスペンサー３２部分に被嵌される筒状の胴部１０を備えていると共に、その胴部１０を形成している正面板１１の上部が胴部１０の上端から立ち上がっているので、その胴部１０や正面板１１の上部に表示を施すことで、ポンプディスペンサー３２部分に販売促進効果を期待することができる程度の表示面積を確保することができる。
【００２６】
また、このカバー状ラベル１がポンプ容器３０のポンプディスペンサー３２部分に装着された状態では、ノズルヘッド３３の注出ノズル３５がノズル挿入孔ＮＨの下縁に掛止されており、しかも、胴部１０の下端縁、特に、ノズル挿入孔ＮＨに対応する部分が容器本体３１のテーパ状の肩部に接触しているので、ノズルヘッド３３の操作部３４の上面を覆っている天面板２０の舌片部分を押し下げようとしても、ノズルヘッド３３を押し下げることができず、従来のストッパと同様の機能を確保することができる。
【００２７】
また、このカバー状ラベル１をポンプ容器３０のポンプディスペンサー３２部分に装着した状態では、ノズルヘッド３３の操作部３４が天面板２０の嵌合孔Ｈに嵌合し、天面板２０における嵌合孔Ｈの周辺部分がノズルヘッド３３の操作部３４の上面より下側に位置しているので、胴部１０におけるノズル挿入孔ＮＨの反対側からノズル挿入孔ＮＨ側に力が加わっても、注出ノズル３５がノズル挿入孔ＮＨから脱落しにくく、装着されたカバー状ラベル１がポンプディスペンサー３２部分から簡単に外れることはない。
【００２８】
また、このカバー状ラベル１では、正面板１１及び背面板１２の下端縁に、折目線１ｄ、１ｅを介して、折返片１４、１５を連接し、これらの折返片１４、１５を胴部１０の内側に折り返しているので、胴部１０の下端部が撓みにくく、ノズルヘッド３３の押下防止機能を確実に発揮させることができる。
【００２９】
また、このカバー状ラベル１では、Ｃ字状の切目２１によって囲われた舌片部分がノズルヘッド３３の操作部３４によって押し上げられるので、天面板２０は、その短手方向の中央部が上方側に突出するように湾曲する傾向にあるが、切目２１から折目線１ｆ、１ｇの中央部にそれぞれ至る半円弧状の切目２２、２２が形成されているので、舌片部分が連設されていないノズル挿入孔ＮＨの反対側の部分が、舌片部分を有するノズル挿入孔ＮＨ側の部分から切り離されることになる。これによって、分断された天面板２０における、舌片部分が連設されていないノズル挿入孔ＮＨの反対側の部分については、短手方向にフラットにすることによって、嵌合孔Ｈの周辺部分を押し下げることができるので、ノズルヘッド３３の操作部３４の嵌合孔Ｈの周辺部分からの突出量が大きくなり、ノズルヘッド３３の操作部３４が嵌合孔Ｈから脱落しにくいという効果がある。
【００３０】
図６〜図９は他の実施形態を示している。このカバー状ラベル２も、上述したカバー状ラベル１と基本的に同一構成を有しているので、同一構成要素には、同一符号を付してその説明を省略し、異なる構成要素について詳細に説明する。
【００３１】
上述したカバー状ラベル１は、天面板２０が舟形形状で、その長手方向及び短手方向の双方に対称であるのに対して、このカバー状ラベル２は、屈曲した折目線１ｈ、１ｉを介して、背面板１２及び差込片２３が連設された天面板２０Ａが六角形状で、その短手方向には対称であるが、長手方向には非対称である点で異なっている。
【００３２】
このカバー状ラベル２は、図８に示すラベル形成基材２ａから形成されるが、図６（ａ）及び図８に示すように、背面板１２の幅方向の中央位置から折目線１ｃ側に任意の距離だけ離れた位置における正面板１１と背面板１２との間隔（天面板２０Ａの奥行き）が、背面板１２の幅方向の中央位置から折目線１ｂ側に同一距離だけ離れた位置における正面板１１と背面板１２との間隔（天面板２０Ａの奥行き）より小さくなっており、切目２１よりも折目線１ｂ側において、正面板１１と背面板１２との間隔（天面板２０Ａの奥行き）が最大になっている。
【００３３】
その結果、天面板２０Ａは、図６（ｂ）に示すように、切目２１よりも折目線１ｂ側において、その高さ位置が最も低くなり、しかも、その最も低い高さ位置が、上述したカバー状ラベル１の天面板２０の最も低い高さ位置よりもさらに低くなるので、天面板２０Ａに形成された嵌合孔Ｈに嵌り込んだノズルヘッド３３の操作部３４の嵌合孔Ｈからの突出量が、上述したカバー状ラベル１に比べて大きくなり、装着されたカバー状ラベル１がポンプディスペンサー３２部分からさらに外れにくくなるという効果がある。
【００３４】
なお、上述した各実施形態では、容器本体３１の肩部がテーパ状になっているポンプ容器３０のポンプディスペンサー３２部分に装着するカバー状ラベル１、２について説明したが、本発明のカバー状ラベルが装着可能なポンプ容器における容器本体の肩部は、テーパ状である必要はなく、フラットであってもよい。
【００３５】
また、上述した各実施形態では、天面板２０にＣ字状の切目２１を形成し、この切目２１によって囲われた舌片部分を持ち上げることによって、ノズルヘッド３３の操作部３４が嵌り込む嵌合孔を形成するようにしているが、これに限定されるものではなく、完全に開口された嵌合孔を形成しておくことも可能である。
【００３６】
また、上述した各実施形態では、胴部１０の周面に注出ノズル３５を挿入可能なノズル挿入孔ＮＨを形成しているが、これに限定されるものではなく、注出ノズル３５の下面を掛止することができるのであれば、切り欠きであってもよい。
【００３７】
また、上述した各実施形態では、正面板１１及び背面板１２の下端縁に、折目線１ｄ、１ｅを介して、連設された折返片１４、１５を内側に折り返すことによって、胴部１０の下端部の撓みを防止するようにしているが、これに限定されるものではなく、強度等を確保することができるのであれば、あえて折返片を設ける必要はない。
【００３８】
また、上述した各実施形態では、扁平な胴部１０の下端縁を、その全周にわたって、ポンプ容器３０における容器本体３１のテーパ状の肩部に接触させるために、正面板１１及び背面板１２の下端縁の中央部を窪ませるようにしているが、ポンプ容器における容器本体の肩部がフラットな場合は、扁平な胴部であっても、胴部の下端縁が同一高さ位置において容器本体の肩部に接触することになるので、胴部の下端縁はフラットにしておくことが望ましい。
【００３９】
また、上述した各実施形態では、胴部１０の横断面形状が舟形または扁平な六角形状のカバー状ラベル１、２について説明したが、これらに限定されるものではなく、胴部の横断面形状を円形、楕円形、扁平でない多角形状にすることも可能である。ただし、胴部の横断面形状が円形の場合は、容器本体３１の肩部がテーパ状になっていても、胴部の下端縁が全周にわたって、テーパ状の肩部における同一の高さ位置に接触することになるので、胴部の下端縁もフラットにしておくことが望ましい。
【００４０】
また、上述した各実施形態では、正面板１１の上部を胴部１０から上方に突出させているが、これに限定されるものではなく、十分な表示面積を確保することができるのであれば、必ずしも、正面板１１の上部を胴部１０から上方に突出させる必要はない。
【００４１】
また、上述した各実施形態では、胴部１０の上端開口部を天面板２０、２０Ａによって閉塞するようにしているが、これに限定されるものではなく、装着状態を保持することができるのであれば、天面板を省略することも可能である。
【産業上の利用可能性】
【００４２】
本発明は、ポンプ容器におけるポンプディスペンサー部分に人の目を引くような表示を施したい場合に利用することができる。
【符号の説明】
【００４３】
１、２  カバー状ラベル
１ａ、２ａ  ラベル形成基材
１ｂ、１ｃ、１ｄ、１ｅ、１ｆ、１ｇ、１ｈ、１ｉ  折目線
１０  胴部
１１  正面板
１２  背面板
１３  接着片
１４、１５  折返片
２０、２０Ａ  天面板
２１、２２  切目
２３  差込片
２３ａ  切り込み
３０  ポンプ容器
３１  容器本体
３２  ポンプディスペンサー
３３  ノズルヘッド
３４  操作部
３５  注出ノズル
Ｈ  嵌合孔
ＮＨ  ノズル挿入孔
【図１】
2012192949.tif 000003
【図２】
2012192949.tif 000004
【図３】
2012192949.tif 000005
【図４】
2012192949.tif 000006
【図５】
2012192949.tif 000007
【図６】
2012192949.tif 000008
【図７】
2012192949.tif 000009
【図８】
2012192949.tif 000010
【図９】
2012192949.tif 000011
【図１０】
2012192949.tif 000012